(57)【要約】【課題】液体分を含む使用済み紙おむつを効率よく廃棄処理することができる紙おむつ処理装置を提供する。【解決手段】使用済みの紙おむつを処理する紙おむつ処理装置１であって、紙おむつ２０を収容する収容槽５と、収容槽５内に水分を給水する給水部１２と、収容槽５内を攪拌する攪拌部１６と、収容槽５内に設けられ、紙おむつ２０が有する高分子吸収材２６を被覆した表面材２２，２３を切開するカッタ１０と、を少なくとも備える。【選択図】図３
2019136662.tif 000002
【特許請求の範囲】
【請求項１】
使用済みの紙おむつを処理する紙おむつ処理装置であって、
前記紙おむつを収容する収容槽と、前記収容槽内に水分を給水する給水部と、前記収容槽内を攪拌する攪拌部と、前記収容槽内に設けられ、前記紙おむつが有する高分子吸収材を被覆した表面材を切開するカッタと、を少なくとも備えることを特徴とする紙おむつ処理装置。
【請求項２】
前記収容槽は、前記高分子吸収材が分離された紙おむつを取り出す取出口と、前記取出口とは別に設けられ、少なくとも前記高分子吸収材を排出する排出部と、に連通していることを特徴とする請求項１に記載の紙おむつ処理装置。
【請求項３】
前記収容槽は、前記高分子吸収材が内部に吸収した被処理液よりも浸透圧の高い添加材を前記収容槽内に導入する導入部と、前記高分子吸収材、該高分子吸収材の外部に浸透した前記被処理液、前記水分及び前記添加材を前記収容槽外に排出する前記排出部と、に連通していることを特徴とする請求項２に記載の紙おむつ処理装置。
【請求項４】
前記導入部は、前記攪拌部で攪拌されている前記収容槽内に前記添加材を導入することを特徴とする請求項３に記載の紙おむつ処理装置。
【請求項５】
前記添加材は、塩化ナトリウムを主成分とする材料であることを特徴とする請求項３または４に記載の紙おむつ処理装置。
【請求項６】
前記排出部に、前記高分子吸収材が内部に吸収した被処理液よりも浸透圧の高い添加材を投入可能な処理槽が接続されていることを特徴とする請求項２ないし５のいずれかに記載の紙おむつ処理装置。
【請求項７】
前記カッタは、前記収容槽の周壁部の内面に設けられていることを特徴とする請求項１ないし６のいずれかに記載の紙おむつ処理装置。
【請求項８】
前記カッタは、前記攪拌部の近傍位置に設けられていることを特徴とする請求項１ないし７のいずれかに記載の紙おむつ処理装置。
【請求項９】
前記収容槽は、該収容槽の内部を開放又は閉塞可能な開閉蓋と、前記開閉蓋の開放状態での前記攪拌部の駆動を規制する規制部と、を備えることを特徴とする請求項１ないし８のいずれかに記載の紙おむつ処理装置。
【発明の詳細な説明】
【技術分野】
【０００１】
本発明は、使用済みの紙おむつを処理する紙おむつ処理装置に関する。
【背景技術】
【０００２】
従来、使用済みの紙おむつは、一般家庭にて発生するのみならず、例えば保育所・幼稚園や養護老人ホーム等の介護・養護施設、或いは複数の病床を備えた医療機関等の事業所では日々大量に発生するものであり、これらの紙おむつは多くの自治体で焼却対象となる可燃ごみ（一般廃棄物・事業系一般廃棄物等）としてごみ収集され、焼却施設にて廃棄物処理がされている。
【０００３】
近年の紙おむつは、排泄物等の液体分を高効率に吸収する高分子吸収材が、通水性を有する不織布からなる表面材に被覆されて構成されることが多く、したがって使用済みの紙おむつは、当然のことながら液体を十分に吸収した膨潤状態で肥大化している。よって、このような液体分を含有する使用済み紙おむつを大量に焼却処理するに際しては、不完全燃焼を防止するため、焼却温度を数百度以上に保つ熱源部（ヒータ）等を備えた焼却装置が供されている（例えば、特許文献１参照）。
【先行技術文献】
【特許文献】
【０００４】
【特許文献１】特開２００２−２２８１２７号公報（第３頁、第２図）
【発明の概要】
【発明が解決しようとする課題】
【０００５】
しかしながら、特許文献１にあっては、液体分を多く含む使用済み紙おむつを焼却処理するために、通常の焼却装置よりも高温の熱源部や熱風配管部等の付帯設備を具備する必要があることから、当該熱源部及び付帯設備の構造が複雑化するばかりか、焼却処理の燃料コストが増大する虞が生じるという問題がある。
【０００６】
本発明は、このような問題点に着目してなされたもので、液体分を含む使用済み紙おむつを効率よく廃棄処理することができる紙おむつ処理装置を提供することを目的とする。
【課題を解決するための手段】
【０００７】
前記課題を解決するために、本発明の紙おむつ処理装置は、
使用済みの紙おむつを処理する紙おむつ処理装置であって、
前記紙おむつを収容する収容槽と、前記収容槽内に水分を給水する給水部と、前記収容槽内を攪拌する攪拌部と、前記収容槽内に設けられ、前記紙おむつが有する高分子吸収材を被覆した表面材を切開するカッタと、を少なくとも備えることを特徴としている。
この特徴によれば、収容槽内に収容された使用済み紙おむつが、水分が給水されたこの収容槽の攪拌に伴い流動しながらカッタに接触することで、紙おむつの高分子吸収材を被覆した表面材が切開されて、この紙おむつから、排泄物の液体分を吸収した高分子吸収材を分離することができるため、この液体分を含む高分子吸収材を分離した紙おむつを効率よく廃棄処理することができる。
【０００８】
前記収容槽は、前記高分子吸収材が分離された紙おむつを取り出す取出口と、前記取出口とは別に設けられ、少なくとも前記高分子吸収材を排出する排出部と、に連通していることを特徴としている。
この特徴によれば、収容槽内で高分子吸収材が分離された紙おむつと、当該高分子吸収材とを、個別に排出して廃棄処分することができる。
【０００９】
前記収容槽は、前記高分子吸収材が内部に吸収した被処理液よりも浸透圧の高い添加材を前記収容槽内に導入する導入部と、前記高分子吸収材、該高分子吸収材の外部に浸透した前記被処理液、前記水分及び前記添加材を前記収容槽外に排出する前記排出部と、に連通していることを特徴としている。
この特徴によれば、収容槽内にて紙おむつから分離された高分子吸収材が、この収容槽内に導入部により導入され水分で希釈された添加材と混合することで、この添加材の浸透圧により高分子吸収材が吸収していた被処理液が添加材側に浸透するため、この被処理液を添加材と共に排出部により排出することができる。
【００１０】
前記導入部は、前記攪拌部で攪拌されている前記収容槽内に前記添加材を導入することを特徴としている。
この特徴によれば、収容槽に導入された添加材が水分と共に攪拌され、添加材が水分により均一に希釈されるため、高分子吸収材が吸収した被処理液を確実に外部に浸透させることができる。
【００１１】
前記添加材は、塩化ナトリウムを主成分とする材料であることを特徴としている。
この特徴によれば、被処理液よりも浸透圧の高い添加材を安価で且つ容易に入手することができる。
【００１２】
前記排出部に、前記高分子吸収材が内部に吸収した被処理液よりも浸透圧の高い添加材を投入可能な処理槽が接続されていることを特徴としている。
この特徴によれば、収容槽の排出部に接続された処理槽にて、高分子吸収材内部の被処理液を浸透圧の高い添加材によって外部に浸透させる二次処理を行うことができる。
【００１３】
前記カッタは、前記収容槽の周壁部の内面に設けられていることを特徴としている。
この特徴によれば、収容槽の周壁部の内面に設けられたカッタにより、この収容槽内を流動する紙おむつの表面材の切開を促進することができる。
【００１４】
前記カッタは、前記攪拌部の近傍位置に設けられていることを特徴としている。
この特徴によれば、収容槽のカッタの近傍位置の流動性を高めることで、紙おむつの表面材の切開効率を高めることができる。
【００１５】
前記収容槽は、該収容槽の内部を開放又は閉塞可能な開閉蓋と、前記開閉蓋の開放状態での前記攪拌部の駆動を規制する規制部と、を備えることを特徴としている。
この特徴によれば、カッタを有する収容槽の内部を蓋部で閉塞した状態で処理することができ、また蓋部の開放状態では攪拌部の駆動が規制部によって規制されるため、安全性高く紙おむつ処理を行うことができる。
【図面の簡単な説明】
【００１６】
【図１】実施例１における紙おむつ処理装置の筐体を示す斜視図である。
【図２】紙おむつ処理装置の筐体の平面断面図である。
【図３】紙おむつ処理装置の筐体の正面断面図である。
【図４】（ａ）は使用前の紙おむつを示す断面図であり、（ｂ）は（ａ）の部分拡大図である。
【図５】（ａ）は使用済みの紙おむつを示す部分拡大図であり、（ｂ）は同じくカッタにより表面材を切開した図である。
【図６】高分子吸収材の内外の液体流動のメカニズムを説明する図である。
【図７】実施例２における紙おむつ処理装置の側面断面図である。
【図８】（ａ）は紙おむつ処理装置の一部断面の正面図であり、（ｂ）は処理槽の平面断面図である。
【発明を実施するための形態】
【００１７】
本発明に係る紙おむつ処理装置を実施するための形態を実施例に基づいて以下に説明する。
【実施例１】
【００１８】
実施例１に係る紙おむつ処理装置につき、図１から図６を参照して説明する。先ず図１の符号１は、本発明の適用された紙おむつ処理装置である。
【００１９】
図１〜３に示されるように、本実施例１の紙おむつ処理装置１は、内空構造を有し上面に開口部２ａが形成された筐体２と、筐体２内部に鉛直方向の仮想軸Ｏ回りに回転可能に配設された有底筒状の収容槽５と、筐体２内部に固定され、収容槽５よりも大径の有底筒状であって収容槽５を略同軸に外嵌する外筒６と、収容槽５に回転駆動力を付与する駆動部７とから主として構成される。
【００２０】
紙おむつ処理装置１は、収容槽５内に使用済みの紙おむつ（図示略）を複数枚収容し、後述する処理工程を筐体２内で行うことで、これらの紙おむつに内蔵された高分子吸収材２５（図５参照）を分離して添加材等の他の液体とともに排出するものである。
【００２１】
紙おむつ処理装置１の収容槽５は、筐体２の開口部２ａに連通するように上端が開放された平面視円環状の周壁部５ａと、周壁部５ａの下端に連設された平面視円盤状の底部５ｃとからなり、これらの周壁部５ａ及び底部５ｃには、小径またはスリット状の通水孔５ｂが複数箇所に形成されている。収容槽５は、十数枚〜数十枚の使用済み紙おむつを収容可能に例えば数十リットル〜百リットル超程度の内部容量を有すると好ましい。
【００２２】
周壁部５ａの内周面の下端側には、内径方向に向けて突出する切削刃１１を有し収容槽５内の紙おむつの表面材２２，２３及び本体部２１，２４を切開するためのカッタ１０が、周方向に沿って離間して複数枚、且つ上下方向に離間して複数段にわたり固定されている。より詳しくは、周壁部５ａの上下方向の中央よりも下側の高さ位置に、上段のカッタ１０ａが、周方向に沿って略９０度の等間隔ピッチで離間して計４つ設けられ、またこれらの上段のカッタ１０ａよりも下方の高さ位置に、下段のカッタ１０ｂが、周方向に沿って略９０度の等間隔ピッチで離間して計４つ設けられている。更に上段のカッタ１０ａと下段のカッタ１０ｂとは、位相角度が互いに４５度位置ずれして周壁部５ａの内周面に固定されている。
【００２３】
なお、カッタ１０が設けられる周方向の離間ピッチは本実施例に限られず、例えば周方向に略１２０度の等間隔ピッチで離間して計３つ設けられてもよいし、あるいは周方向に略６０度の等間隔ピッチで離間して計６つ設けられてもよい。またカッタ１０が設けられる上下方向の段数は本実施例に限られず、例えば３段以上でもよいし、あるいは１段のみでも構わない。更に、カッタ１０が上下複数段にわたり設けられる場合、必ずしも位相角度を互いに位置ずれさせる態様に限られず、同じ位相角度で設けても構わない。
【００２４】
また、本実施例のカッタ１０の切削刃１１は略水平方向に延びているが、これに限らず例えば水平方向に対し所定角度傾斜してもよい。
【００２５】
次に、外筒６は、上端が開放されるとともに周側端が閉塞された平面視円環状の周壁部６ａと、周壁部６ａの下端に連設された平面視円盤状の底部６ｃとからなり、収容槽５を略同心位置にて遊嵌状態で外嵌した状態で筐体２内に固定されている。すなわち収容槽５の周壁部５ａ及び底部５ｃの外面と、外筒６の周壁部６ａ及び底部６ｃの内面とは所定寸法だけ離間している。また外筒６の底部６ｃには、排出管１４の一端に連通する連通孔６ｄが形成されており、この排出管１４の他端は筐体２の側壁を貫通して外部に開口している。
【００２６】
また収容槽５の内部には、この収容槽５内の紙おむつ及び液体を攪拌するための攪拌部１６が設けられている。攪拌部１６は、径方向に延設された回転盤１６ａ及びその上面に固定された複数の攪拌羽根１６ｂと、この回転盤１６ａの略中央位置を貫通して固定され上下方向に延びる回転軸１６ｃとから主としてなり、この回転軸１６ｃは、収容槽５及び外筒６それぞれの底部５ｃ，６ｃの略中央位置に形成された貫通孔を図示しないシール材を介して密封状に貫通して下方に延設されている。より詳しくはこの回転軸１６ｃは貫通孔に対し上下方向に位置決めされるとともに回転方向に回転自在に軸支されている。また貫通孔の下方に延びる回転軸１６ｃの下端には、回転軸１６ｃよりも大径のプーリー１６ｄが設けられている。
【００２７】
また収容槽５の底部５ｃの下面の略中央位置には、特に図示しないが上下方向に延び外筒６を密封状に貫通する軸部が固設されており、この軸部の下端には、上記した回転軸１６ｃと同様にプーリーが設けられている。
【００２８】
モータ７（駆動部）は、図示しない電源に接続されて筐体２内の下側位置に設けられており、攪拌部１６の回転軸１６ｃ及び収容槽５の軸部と略平行に延設された駆動軸７ａを回転駆動させるものであり、駆動軸７ａの端部に設けられたプーリー７ｂと、攪拌部１６の回転軸１６ｃのプーリー１６ｄとに架けて環状のベルト８が巻回されている。また特に図示しないが同様に、駆動軸７ａの端部と、収容槽５の軸部のプーリーとに架けて環状のベルトが巻回されている。すなわちモータ７は、駆動軸７ａを回転することで、ベルト８を介して攪拌部１６及び収容槽５に対し回転力を伝達するものである。
【００２９】
次に筐体２は、略直方体形状の外形であり、上面には開口部２ａを開放若しくは閉塞可能な開閉蓋３及び操作パネル４を備え、筐体２の内部には収容槽５、外筒６、モータ７を内蔵するとともに、操作パネル４及び図示しない電源に電気的に接続された制御部９を水密状態で内蔵している。制御部９は、操作パネル４に加え図示しないタイマに接続され、更にモータ７及び所定の開閉弁１３，１５等に制御信号を伝送可能に接続されている。
【００３０】
また本実施例では筐体２の左側面の適所に、収容槽５内に後述する水分を供給する給水管１２の開口端部、及び収容槽５内の液体を排出する排出管１４の開口端部が延出しており、それぞれ図示しない上水管及び下水管等に接続可能に構成されている。なお、例えば筐体の上面に給水管の開口端部が延出し、若しくは筐体の下底面に排出管の開口端部が延出しても構わない。
【００３１】
次に、図４に示されるように、本発明に係る紙おむつ処理装置１の処理対象となる紙おむつ２０の構造について説明する。紙おむつ２０は、不織布等からなり使用者が装着する本体部２１，２４の略中央の内部に、排泄物等の液体を吸収する高分子吸収材２５を備えるものであり、本体部２１，２４の内外両側の表面に、通水性を有する不織布等からなる表面材２２，２３が貼着されることで、本体部２１，２４と表面材２２，２３との間にて高分子吸収材２５が被覆されている。
【００３２】
高分子吸収材２５は、その自重の数百倍から約千倍程度の水を吸収可能な高い吸水機能、及び吸収した水分を保持する水分保持機能を備えた親水性を有する樹脂からなり、その吸水前は図４（ｂ）に示されるように、小径で多数個の顆粒状に形成されており、また紙おむつの使用後すなわち吸水後の高分子吸収材２６は、図５に示されるように、その内部に吸収した液体分を包含するとともに膨潤することで、粘性の高いジェル材の様に一塊の半液体・半固体状に形成されるようになっている。
【００３３】
次に本実施例１に係る紙おむつ処理装置１を用いた処理工程について説明する。
【００３４】
先ず、筐体２上面の開口部２ａを開放して複数枚の使用済み紙おむつを収容槽５内に投入し、開閉蓋３により開口部２ａを閉塞するとともに、操作パネル４のスタートボタンを押圧操作する。なお、予め添加材用の導入部１８を介し、本実施例では添加材として塩粒を充填しておく。なお添加材は、後述するように使用済み紙おむつの高分子吸収材２６が内部に吸収した排泄物等の液体分よりも浸透圧の高い材料であれば、必ずしも塩粒に限られず、塩分濃度の高い水溶液でも良いし、別の薬剤であっても構わない。
【００３５】
操作パネル４の操作信号を受信した制御部９の制御信号によって、給水管１２の管路に設けられた開閉弁１３及び添加材用の供給管に設けられた図示しない開閉弁が開放されることで、収容槽５内に上水（真水）及び添加材（塩粒）が所定量導入される。収容槽５内に導入された上水と添加材とが混合され、一定の塩分濃度を有する浸透圧の高い塩水が満たされる。
【００３６】
なお上記した開閉弁１３，１５は、タイマにより予め設定された時間開放した後に閉塞されるため、上水及び添加材の収容槽５への過導入が防止されている。また上水及び添加材の導入量は、操作パネル４によって任意に設定が可能である。
【００３７】
次に、制御部９の制御信号によって、モータ７の駆動軸７ａが回転駆動することで、ベルト８及び回転軸１６ｃ等を介し駆動力が伝達され、収容槽５及び攪拌部１６が所定の回転方向及び回転数で回転する。なお、収容槽５又は攪拌部１６のいずれかのみが回転するように制御してもよいし、これらの回転方向や回転速度を互いに変化させても構わない。この回転に伴い、収容槽５内の上水及び添加材とともに使用済み紙おむつが遠心力により収容槽５の周壁部５ａの内面に接触しながら周方向に流動する。
【００３８】
また収容槽５内が攪拌部１６により攪拌されているときに、導入部１８の図示しない開口部が開放され、添加材としての塩が収容槽５内に漸次導入される。
【００３９】
収容槽５内の使用済み紙おむつは、周壁部５ａの内面に設けられたカッタ１０に接しながら流動することで、図５（ｂ）に示されるように、紙おむつの本体部２１，２４や表面材２２，２３がカッタ１０の切削刃１１によって切開され、表面材２２，２３の内部にて排泄物の液体分を吸収し肥大化した膨潤状態の高分子吸収材２６が、漸次、紙おむつの本体部２１，２４や表面材２２，２３に形成された切開部Ｃを介し外部に露出して、紙おむつの本体部２１，２４から分離する。
【００４０】
紙おむつの外部に露出した膨潤状態の高分子吸収材２６は、収容槽５内を満たす塩水に接することで、該高分子吸収材２６の内部に吸収していた液体分が、浸透圧によって高分子吸収材２６の外部に排出され、すなわち収容槽５内を満たす上水Ｗと塩Ｎとからなる溶液である塩水に浸される。
【００４１】
以下、膨潤状態の高分子吸収材２６内外の液体流動の微視的なメカニズムを詳述すると、先ず図６（ａ）に示されるように、使用済み紙おむつに内蔵され、液体分を吸収した吸水後の高分子吸収材２６は、微視的には、通水性を有する被覆膜２８と、この被覆膜２８によって内部に閉じ込められた排泄物の液体分Ｄと、から主として構成される。この吸水後の高分子吸収材２６が、紙おむつの本体部２１，２４から分離することで、被覆膜２８の内部に閉じ込められた液体分Ｄよりも浸透圧の高い塩分濃度の塩水に浸される。そうすると、被覆膜２８の内部に閉じ込められた液体分Ｄが、浸透圧により被覆膜２８を通じて外側に漸次流出する結果、肥大化していた高分子吸収材２６の体積が小さくなるとともに、被覆膜２８の外側に流出した液体分Ｄは、上水Ｗと塩Ｎとからなる塩水と混合してゆく。なお、略全量の液体分Ｄが外部に流出した後の高分子吸収材２６は、例えば１ミリ以下程度の微細な形状に収縮される。
【００４２】
次に、上記した収容槽５及び攪拌部１６の回転が、タイマにより予め設定された時間継続した後、制御部９の制御信号によって、モータ７の回転駆動が停止するとともに、排出管１４の管路に設けられた開閉弁１５が開放されることで、このとき収容槽５内を満たしている液体、すなわち上記した上水（真水）及び添加材（塩粒）の溶液に加え、高分子吸収材２６の外部に流出した排泄物の液体分が混合された液体が、収容槽５の周壁部５ａ及び底部５ｃに形成された通水孔５ｂ、外筒６の底部６ｃに形成された通水口６ｄ、及び開閉弁１５が開放された排出管１４を介し、図示しない下水管に順次排出される。
【００４３】
次に、タイマにより設定された所定時間の経過後、制御部９の制御信号によって、モータ７が再び回転駆動され、収容槽５が比較的高速に回転することで、収容槽５内、及び高分子吸収材２６が分離された紙おむつに残留する僅かな液体は、回転で生じる遠心力により収容槽５の外径方向に飛散し、周壁部５ａの通水孔５ｂ、外筒６の通水口６ｄ、及び開閉弁１５が開放された排出管１４を介し、下水管に順次排出される。すなわち収容槽５内には高分子吸収材２６が分離された紙おむつの本体が脱水された状態で残置される。
【００４４】
次に、タイマにより設定された所定時間の経過後、制御部９の制御信号によって、モータ７の回転駆動が停止される。収容槽５の回転の完全停止後に、筐体２の開口部２ａを閉塞していた開閉蓋３を開放し、高分子吸収材２６が分離された脱水状態の紙おむつを開口部２ａより取り出して廃棄する。
【００４５】
なお収容槽５が回転しているときに誤って開閉蓋３を開放した場合、制御部９は、収容槽５の回転駆動を緊急停止するように制御しているが、これに限らず例えば制御部９は、収容槽５が回転しているときに開閉蓋３の開放を規制するように制御してもよい。
【００４６】
以上説明した本発明に係る紙おむつ処理装置１によれば、収容槽５内に収容された使用済み紙おむつが、水分が給水されたこの収容槽５の攪拌に伴い流動しながらカッタ１０に接触することで、紙おむつの高分子吸収材を被覆した本体部２１，２４や表面材２２，２３が切開されて、この紙おむつから、排泄物の液体分Ｄを吸収した高分子吸収材２６を分離することができるため、この液体分Ｄを含む高分子吸収材２６を分離した紙おむつを効率よく廃棄処理することができる。
【００４７】
また収容槽５は、高分子吸収材２６が分離された紙おむつを取り出す開口部２ａ（取出口）と、開口部２ａとは別に設けられ、高分子吸収材２６を排出する排出管１４とに連通していることで、収容槽５内で高分子吸収材２６が分離された紙おむつと、当該高分子吸収材２６とを、個別に排出して廃棄処分することができる。
【００４８】
更に収容槽５は、高分子吸収材２６が吸収した排泄物の液体分Ｄよりも浸透圧の高い塩（添加材）を収容槽５内に導入する導入部と、排泄物の液体分Ｄを上水及び添加材とともに収容槽５外に排出する排出管１４とに連通していることで、収容槽５内にて紙おむつから分離された高分子吸収材２６が、この収容槽５内に導入部１８により導入され上水で希釈された塩（添加材）と混合することで、この添加材の浸透圧により高分子吸収材２６が吸収していた排泄物の液体分Ｄが添加材側に浸透するため、この排泄物の液体分Ｄを塩（添加材）と共に排出管１４により排出することができる。
【００４９】
また導入部１８は、攪拌部１６で攪拌されている収容槽５内に添加材を導入することで、収容槽５に導入された添加材が上水と共に攪拌され、添加材が上水により均一に希釈されるため、高分子吸収材２６が吸収した排泄物の液体分Ｄを確実に外部に浸透させることができる。
【００５０】
更に添加材は、塩化ナトリウム（ＮａＣｌ）を主成分とする塩粒であることで、排泄物の液体Ｄよりも浸透圧の高い添加材を安価で且つ容易に入手することができる。
【００５１】
またカッタ１０は、収容槽５の周壁部５ａの内面に設けられていることで、この収容槽５内を流動する紙おむつの本体部２１，２４や表面材２２，２３の切開を促進することができる。
【００５２】
更に、カッタは、攪拌部１６の近傍位置に設けられていることで、収容槽５のカッタ１０の近傍位置の流動性を高め、紙おむつの本体部２１，２４や表面材２２，２３の切開効率を高めることができる。特に、紙おむつが攪拌部１６により攪拌されていることで、遠心力により収容槽５の周壁部５ａの内面に沿って流動するに伴い、本体部２１，２４や表面材２２，２３の切開がされ易い。
【００５３】
またカッタ１０は、収容槽５の周方向に沿って複数設けられていることで、早期かつ確実に紙おむつの被覆膜を切開することができる。なお、カッタ１０は、切削刃１１が収容槽５の回転方向に対し傾斜して設けられていてもよく、このようにすることで、収容槽５の回転方向に対し傾斜したカッタ１０の切削刃１１により、紙おむつの表面材を切開する効率を高めることができる。
【００５４】
また収容槽５は、収容槽５の内部を開放又は閉塞可能な開閉蓋３と、開閉蓋３の開放状態において攪拌部１６の駆動を規制する規制部としての制御部９と、を備えることで、カッタ１０を有する収容槽５の内部を開閉蓋３で閉塞した状態で処理することができ、また開閉蓋３の開放状態では攪拌部１６の駆動が制御部９によって規制されるため、安全性高く紙おむつ処理を行うことができる。
【実施例２】
【００５５】
次に、実施例２に係る紙おむつ処理装置につき、図７及び図８を参照して説明する。尚、前記実施例と同一構成については同一符号を付して重複する説明を省略する。
【００５６】
本実施例２の紙おむつ処理装置３０は、内空構造を有し開口部３２ａが形成された筐体３２のほか、この筐体３２に移送管３４を介し接続された処理槽３１から主として構成される。紙おむつ処理装置３０は、筐体３２の収容槽３５内に使用済みの紙おむつ（図示略）を複数枚収容し、後述する処理工程を筐体３２内、更に処理槽３１内で行うことで、これらの紙おむつに内蔵された高分子吸収材２６（図５参照）を分離して、添加材により水処理した後に排出するものである。
【００５７】
筐体３２の内部には、鉛直方向に対し所定角度（本実施例では略７０度）傾斜した仮想軸Ｐ回りに回転可能に配設された有底筒状の収容槽３５と、筐体３２内部に固定され、収容槽３５よりも大径の有底筒状であって収容槽３５を略同軸に外嵌する外筒３６と、収容槽３５に回転駆動力を付与する駆動部７とから主として構成される。また開口部３２ａは、筐体３２の設置面に略平行の天面に対し傾斜した傾斜面に開口形成されている。
【００５８】
なお筐体３２は、後述する構成を除き、カッタ１０等は実施例１の筐体２と同様の構成を有しているため、その構成については同じ符号を付して説明を省略する。
【００５９】
筐体３２内の収容槽３５及び外筒３６に連通する排出管３７には、開閉弁１５に連設して移送ポンプ３８が設けられるとともに、この移送ポンプ３８には、筐体３２内から排出される管内の被処理水を処理槽３１に移送する移送管３４の一端が接続されている。なお、移送対象となる被処理水には排泄物等が含まれていることから、移送ポンプ３８としては水密性が高く若干の固形分や、半固体状の物質も送出可能なマグネットポンプ等が好適である。
【００６０】
処理槽３１は、本実施例では内空構造を有し上面に開口部４０ａ，４０ｂが形成された略直方体形状の本体４０からなり、この本体４０の内部に形成され開口部４０ａに連通する混合槽４１と、この混合槽４１の内側の側壁４２を介して隣接し、開口部４０ｂに連通する反応槽４３と、本体４０の上部に設置された操作盤５０とから主として構成される。処理槽３１は、筐体３２から排出された被処理水に含まれる高分子吸収材から液体を分離促進するとともに、この被処理水に含まれる排泄物を曝気処理し生物的に浄化した後に、被処理水を下水管等に排水するものである。
【００６１】
混合槽４１の上部側壁の適所には、この混合槽４１に被処理水を移送するための移送管３４の端部３４ａが接続されている。なお、この端部３４ａよりも僅かに下方位置に、被処理水に含まれる固形分を分離するための分離フィルタを敷設してもよい。また混合槽４１の底部の適所には、この混合槽４１内を攪拌するための攪拌ポンプ４７が配設されている。
【００６２】
また、混合槽４１及び反応槽４３と水密状に仕切られたポンプ室の内部には、ブロアポンプ４４が設置されており、このブロアポンプ４４の吐出口に接続された小径の散気管４５を介し反応槽４３にエアバブルを供給できるように構成されている。
【００６３】
次に、反応槽４３の底部には、ブロアポンプ４４から延設され周面に複数の散気孔４５ａを備えた散気管４５が敷設されるとともに、この散気管４５とは離間した反応槽４３の底部の適所には、この反応槽４３内の被処理水を循環するための循環ポンプ４６が配設されている。この反応槽４３と混合槽４１との間を区画する側壁４２の適所には、複数の連通孔４２ａが貫通形成されていることから、混合槽４１内の被処理水が連通孔４２ａを介し反応槽４３内に自然流入するように構成され、また混合槽４１内の水位と反応槽４３内の水位とは同レベルとなるように構成される。
【００６４】
また反応槽４３内の側壁４２に対向する外壁近傍には、上下方向に排水管５５が延設されており、この排水管５５の上端部５５ａは、反応槽４３内の上部にて上方を向いて開口するとともに、排水管５５の下端部は、処理槽３１の本体４０の外壁の下部を貫通して外方に延出し、図示しない下水管に接続されている。またこの排水管５５の下端部よりも下方の位置には、短管であるドレン管５６が本体４０の外壁を貫通して水平方向に延設されており、このドレン管５６の一端が反応槽４３内に開口し、他端が開閉バルブ５７を介し外方に延出開口し、図示しない下水管に接続されている。
【００６５】
また、これら混合槽４１及び反応槽４３の上面には、それぞれの開口部４０ａ，４０ｂを開閉可能な上蓋５１，５２が設けられる。
【００６６】
次に本実施例２に係る紙おむつ処理装置１を用いた処理工程について説明する。
【００６７】
先ず、筐体３２上面の開口部３２ａを開放して複数枚の使用済み紙おむつを収容槽３５内に投入し、開閉蓋３３により開口部３２ａを閉塞するとともに、操作パネル４の図示しないスタートボタンを押圧操作する。
【００６８】
以降、筐体３２内における紙おむつの処理工程については、収容槽３５内に投入される上水の水量が実施例１よりも少量であることを除き、実施例１の筐体２内における処理と同様に、収容槽３５内に給水し、カッタ１０により紙おむつの表面部を切開して高分子吸収材２６を外部に露出させ、この高分子吸収材２６の内部の水分を、添加材溶液との浸透圧によって外部に浸透させ、収容槽３５を高速回転させることで高分子吸収材２６が分離された紙おむつを脱水する工程であるため、実施例１と重複する詳しい説明を省略する。
【００６９】
本実施例２の収容槽３５は、鉛直方向に対し傾斜した仮想軸Ｐ回りに回転するように構成されていることから、収容槽３５内にて攪拌された紙おむつは、この傾斜した仮想軸Ｐの外径方向の遠心力、及び鉛直方向の重力の影響を受けて３次元的に複雑に流動する。従って、これらの複雑に流動する紙おむつが、水平方向に対し傾斜して周壁部５ａの内面に延出したカッタ１０に多数回且つ鋭角に接触することで、極めて効率よく切開されるため、紙おむつ内部の高分子吸収材２６を容易且つ早期に外部に露出させることができる。
【００７０】
なお、上記したように本実施例２では収容槽３５内に投入される上水が少量であることから、筐体３２内にてカッタ１０により切開され露出した高分子吸収材２６の内部の水分は、浸透圧によっても十分に外部に排出されない場合がある。このような場合に二次処理として、処理槽３１における被処理水の浄化処理が有効である。以下に、処理槽３１内における被処理水の二次処理工程について説明する。
【００７１】
収容槽３５内の液体、すなわち上記した上水及び添加液に加え、高分子吸収材２６の外部に流出した排泄物の液体分が混合された液体は、移送管３４を通じ移送ポンプ３８により圧送され処理槽３１の混合槽４１内に移送される。また移送ポンプ３８は、前述した液体に加え、内部に幾分かの水分を含むジェル状の高分子吸収材２６を若干量であれば移送することも可能である。なお、混合槽４１内に図示しない供給管を通じて上水を別途供給してもよい。
【００７２】
次に、混合槽４１内に塩（添加材）が所定量導入される。混合槽４１内に導入された液体と添加液が混合され、一定の塩分濃度を有する塩水が満たされる。なお添加材は、作業者が混合槽４１の上蓋５１を開放し開口部４０ａから投入してもよいし、所定濃度に希釈した添加液を図示しない供給ポンプ等により供給してもよい。
【００７３】
混合槽４１内では、ジェル状の高分子吸収材２６が塩水と接することで、高分子吸収材２６の内部に吸収していた液体分が、浸透圧によって高分子吸収材２６の外部に排出される。よってジェル状の高分子吸収材２６は漸次減容化される（図５参照）。
【００７４】
次に混合槽４１内の液体は、連通孔４２ａを通じ反応槽４３に移送される。なお、連通孔４２ａは小口径に形成されているため、混合槽４１内のジェル状の高分子吸収材２６は、この連通孔４２ａを通過可能な程度に減容化されるまでは反応槽４３に移送されず、混合槽４１内に留まり、上記した塩水による浸透作用を継続するように構成されている。
【００７５】
なお、混合槽４１と反応槽４３との境界部に、上記した連通孔４２ａが形成された側壁４２に替えて、或いは当該側壁４２に加えて、例えば目の細かい格子状のスクリーンやパンチングメタルを配設しても構わない。
【００７６】
反応槽４３内では、上記したブロアポンプ４４より送気されたエアバブルが散気管４５を介し送出されることで、反応槽４３内の好気性微生物が活性化され、反応槽４３内の液体の排泄物に含まれる有機物が生物学的に分解処理される。更に、反応槽４３内の液体及びエアバブルは、循環ポンプ４６により反応槽４３内に生起される循環流によって混合されることで、有機物の分解処理が促進される。
【００７７】
上記した処理と共に随時、被処理水が移送管を介し処理槽３１に導入され、混合槽４１及び反応槽４３の水位レベルが漸次高くなる。被処理水の水位レベルが排水管５５の上端部５５ａに達すると、浄化処理後の被処理水の上澄み水が排水管５５の上端部５５ａ内に導入され、排水管５５内を介し順次外部に排出されるように構成されている。また、反応槽４３内には、排水管５５の上端部５５ａよりも僅かに低い高さ位置に、被処理水に含まれる固形分を分離するための分離フィルタ５３が水平方向に敷設されているため、この分離フィルタ５３を通過し得た被処理水の液体分及び所定径以下の固形分のみが上端部５５ａ内に導入されるようになっている。
【００７８】
なお上記した側壁４２の連通孔４２ａの構成、及び排水管５５の上方に開口した上端部５５ａの構成により、混合槽４１及び反応槽４３の水位レベルは、排水管５５の上端部５５ａと略同じ若しくは低い同一レベルで安定するようになっている。
【００７９】
また処理槽３１における浄化処理の終了後は、ドレン管５６の開閉バルブ５７を開放操作することで、混合槽４１及び反応槽４３内の被処理水の全量を外部に排出することができる。
【００８０】
以上説明した本実施例に係る紙おむつ処理装置３０によれば、筐体３２の排出部に移送管３４を介し、高分子吸収材２６が内部に吸収した被処理液よりも浸透圧の高い添加材を投入可能な処理槽３１が接続されていることで、この処理槽３１にて、高分子吸収材２６内部の被処理液を浸透圧の高い添加材によって外部に浸透させる二次処理を行うことができる。
【００８１】
以上、本発明の実施例を図面により説明してきたが、具体的な構成はこれら実施例に限られるものではなく、本発明の要旨を逸脱しない範囲における変更や追加があっても本発明に含まれる。
【００８２】
例えば、前記実施例では、カッタ１０が収容槽５，３５の回転軸Ｏ，Ｐに対し直交する方向に設けられているが、これに限らず例えば、カッタが収容槽の回転軸に対し所定角度で傾斜する方向に設けられてもよい。
【符号の説明】
【００８３】
１                紙おむつ処理装置
２                筐体
２ａ              開口部（取出口）
３                開閉蓋
５                収容槽
５ａ              周壁部
７                モータ（駆動部）
９                制御部（規制部）
１０              カッタ
１１              切削刃
１２              給水管（給水部）
１３              開閉弁
１４              排出管（排出部）
１５              開閉弁
１６              攪拌部
１６ｂ            攪拌羽根
１８              導入部
２０              紙おむつ
２１，２４        本体部
２２，２３        表面材
２５              高分子吸収材（使用前）
２６              高分子吸収材（使用済み）
３０              紙おむつ処理装置
３１              処理槽
３２              筐体
３２ａ            開口部（取出口）
３３              開閉蓋
３４              移送管
３５              収容槽
３７              排出管（排出部）
４１              混合槽
４２              側壁
４３              反応槽
４４              ブロアポンプ
５０              操作盤
５５              排水管
【図１】
2019136662.tif 000003
【図２】
2019136662.tif 000004
【図３】
2019136662.tif 000005
【図４】
2019136662.tif 000006
【図５】
2019136662.tif 000007
【図６】
2019136662.tif 000008
【図７】
2019136662.tif 000009
【図８】
2019136662.tif 000010